(57)【特許請求の範囲】
【請求項１】
外箱と内箱間に断熱材を充填した断熱箱体から構成され、この断熱箱体の下部には機械室を構成して成る冷蔵庫において、
前記外箱底板と、この外箱底板の前端に取り付けられた外箱横板と、この外箱横板に形成された透孔と、この透孔の内側に対応して配置され、一端が前記外箱底板に固定されると共に、他端が前記外箱横板に固定された樹脂製把手部材とを備え、この把手部材には手指挿入用の貫通孔を前後方向に形成したことを特徴とする冷蔵庫。
【請求項２】
把手部材後方の機械室内には凝縮器を設け、この凝縮器の前端を上方に屈曲させたことを特徴とする請求項１の冷蔵庫。
【発明の詳細な説明】
【０００１】
【発明の属する技術分野】
本発明は、外箱と内箱間に断熱材を充填した断熱箱体下部に機械室を構成して成る冷蔵庫に関するものである。
【０００２】
【従来の技術】
従来よりこの種冷蔵庫は、例えば特開平８−３３８６８１号公報（Ｆ２５Ｄ２３／００）に示される如く、鋼板製の外箱と硬質樹脂製の内箱間に断熱材を発泡充填した断熱箱体から構成されており、この断熱箱体の下部には圧縮機などを設置するための機械室を構成している。
【０００３】
また、大型の冷蔵庫では、搬入時の運搬のために断熱箱体の前下部と背面上部に把手を形成し、各把手を二人の作業者がそれぞれ持って運搬できるように構成されていた。
【０００４】
【発明が解決しようとする課題】
この場合、従来では外箱を構成する底板前端に固定された鋼板製の横板を曲げ加工することにより、断熱箱体前下部の把手を構成していたが、板金加工のために持ち易い形状に加工することが困難であると共に、強度上弱く、容易に曲がってしまう問題があった。
【０００５】
また、格別な把手部材を底板に取り付け、断熱材に一部を埋設することによって強度を確保しているものもあるが、把手を取り付けるために底板下方に広い空間が必要となり、機械室内の機器と干渉が生じてしまう問題があった。
【０００６】
本発明は、係る従来の技術的課題を解決するために成されたものであり、小型にして強度も充分であり、且つ、持ち易い運搬用の把手を備えた冷蔵庫を提供するものである。
【０００７】
【課題を解決するための手段】
本発明の冷蔵庫は、外箱と内箱間に断熱材を充填した断熱箱体から構成され、この断熱箱体の下部には機械室を構成して成るものであって、外箱底板と、この外箱底板の前端に取り付けられた外箱横板と、この外箱横板に形成された透孔と、この透孔の内側に対応して配置され、一端が外箱底板に固定されると共に、他端が外箱横板に固定された樹脂製把手部材とを備え、この把手部材には手指挿入用の貫通孔を前後方向に形成したものである。
【０００８】
本発明によれば、外箱と内箱間に断熱材を充填した断熱箱体から構成され、この断熱箱体の下部には機械室を構成して成る冷蔵庫において、外箱底板の前端に取り付けられた外箱横板に透孔を形成し、この透孔の内側に対応して配置され、一端が外箱底板に固定されると共に、他端が外箱横板に固定された樹脂製把手部材を設け、この把手部材には手指挿入用の貫通孔を前後方向に形成したので、把手部材の下側から手を回し、貫通孔に指を後から挿入することによって、断熱箱体の前下部を極めて容易に持つことができるようになる。また、把手部材は樹脂製であるので、持ち易い形状に成形し易く、これらによって、断熱箱体の前下部に極めて持ち易い把手を構成することができるようになる。
【０００９】
特に、把手部材は外箱底板と外箱横板の双方に固定されているので、強度も強固となると共に、外箱底板と外箱横板の成す前隅部に位置することになるので、機械室内の機器との干渉も生じ難くなる。更に、把手部材には手指挿入用の貫通孔を前後方向に形成したので、外箱横板の透孔とこの貫通孔を通って機械室には外気が円滑に導入されるようになる。これによって、機械室内の通風も確保することができるようになるものである。
【００１０】
請求項２の発明の冷蔵庫は、上記において把手部材後方の機械室内には凝縮器を設け、この凝縮器の前端を上方に屈曲させたものである。
【００１１】
請求項２の発明によれば、上記に加えて把手部材後方の機械室内に凝縮器を設け、この凝縮器の前端を上方に屈曲させたので、把手部材の貫通孔に手指を挿入する際に、凝縮器の前端にて負傷する危険性が無くなるものである。
【００１２】
【発明の実施の形態】
以下、図面に基づき本発明の実施形態を詳述する。図１は本発明の実施例の冷蔵庫１下部の縦断側面図、図２は同じく冷蔵庫１下部の正面図、図３は冷蔵庫１の機械室２内の平面図である。
【００１３】
実施例の冷蔵庫１は、鋼板製の前面に開口する外箱３と、これも前面に開口する硬質合成樹脂製の内箱４と、これら両箱３、４間に現場発泡方式にて充填されたポリウレタン断熱材６とから成る断熱箱体７によって本体を構成されている。そして、上記内箱４内に貯蔵室（冷凍室、冷蔵室或いは野菜室など）８が形成されると共に、断熱箱体７の下部には外側となる位置に機械室２が構成されている。
【００１４】
この場合、機械室２の天井には外箱３の底板１１（鋼板製）が位置し、前面には外箱３の横板１２（鋼板製）が位置する。底板１１は前部が低く後部が高い階段形状を呈しており、横板１２はこの底板１１の前端に固定されて左右に渡っており、この横板１２には横長の透孔１３、１３が左右に形成されている。また、各透孔１３、１３の下方に位置する下縁には機械室２側に折曲されたフランジ１４、１４が形成されている（後述する図６参照）。
【００１５】
そして、前記機械室２内後部には左右に渡って圧縮機台１６が取り付けられており、この圧縮機台１６上には左から圧縮機１７、ファン１８及びファンモータ１９が並設されている。尚、２１はファン１８の周囲に位置したファン仕切であり、２７は機械室２の背面を覆うカバーである。
【００１６】
また、圧縮機台１６の前方の機械室２内には凝縮器２２が取り付けられている。この凝縮器２２は放熱性の良い鋼板２３上に冷媒パイプ２４を交熱的、且つ、蛇行状に固定したものである。更に、この鋼板２３の前端２３Ａは上方に屈曲されている。
【００１７】
他方、この機械室２内における前記底板１１と横板１２とが作る隅部左右には把手部材３１、３１が取り付けられる。この把手部材３１は硬質合成樹脂にて成形されており、図４及び図５に示す如く上壁３２と、この上壁３２の両端から前下方に降下する側壁３３、３３と、側壁３３、３３の下端間に渡る下壁３４とから構成されている。
【００１８】
この上壁３２の左右にはネジ孔３６、３６が形成されている。また、側壁３３は相互に間隔を存した二層の壁３３Ａ、３３Ａから構成され、各壁３３Ａ、３３Ａ間は下部程拡開している。そして、これら各壁３３Ａ、３３Ａ間に位置する下壁３４にはそれぞれネジ孔３７、３７が形成されている。また、この下壁３４の後端は、両側壁３３、３３間において所定曲率にて湾曲しながら立ち上がる湾曲部３４Ａとされており、この湾曲部３４Ａと上壁３２間に前後に貫通する貫通孔３８が構成されている。尚、この貫通孔３８は手指が挿入可能な寸法に設定されており、３９・・は湾曲部３４Ａの内側に形成された補強壁である。
【００１９】
そして、係る把手部材３１、３１を横板１２の各透孔１３、１３の内側に対応して配置し、上壁３２を底板１１前部下面に当接させ、ネジ孔３６、３６及び底板１１にネジ４１を螺合させて固定すると共に、下壁３４を横板１２のフランジ１４上面に当接させ、ネジ孔３７、３７及びフランジ１４にネジ４２を螺合させて固定する。尚、図６において４３は脚である。
【００２０】
これによって、把手部材３１の上端は底板１１に、下端は横板１２に固定される。また、この状態で各把手部材３１、３１の貫通孔３８、３８は横板１２の各透孔１３、１３に対応する。また、凝縮器２２の鋼板２３の前端２３Ａと湾曲部３４Ａ間には手指が進入できる充分な間隔が形成される。更に、ネジ４２は各壁３３Ａ、３３Ａ間に進入して内部に格納されるかたちとなるので、後述する如く貫通孔３８に手指が挿入されてもネジ４２にて怪我をする危険性は無い。
【００２１】
以上の構成で、圧縮機１７及びファンモータ１９が運転されると、圧縮機１７から吐出された高温冷媒はこの凝縮器２２の冷媒パイプ２４を通過しながら凝縮され、その後、ホットラインと称される開口縁の高温冷媒配管２６に入る（図６参照）。これらを通過する過程で液化した冷媒は図示しないキャピラリチューブにて減圧された後、これも図示しない冷却器に流入して蒸発する。このときに生じる吸熱作用によって貯蔵室８内を冷却する。
【００２２】
一方、ファンモータ１９によりファン１８が回転されると、図３中左側から空気を吸引して右方の圧縮機１７に吹き付ける。これによって、機械室２内には横板１２の透孔１３、１３及び把手部材３１、３１の貫通孔３８、３８を通過した外気が吸引され、図３に矢印で示す如く凝縮器２２上を熱交換しながら通過した後、ファン１８に吸引される。その後、圧縮機１７に吹き付けられ、最終的にはカバー２７のスリット２７Ｓから放出される。
【００２３】
次ぎに、冷蔵庫１を運搬する際には、一人が冷蔵庫１の背面上部を持つ。そして、もう一人が横板１２のフランジ１４（把手部材３１）の下側から手を回し、指を把手部材３１、３１と鋼板２３の前端２３Ａ間の間隔を通過させて貫通孔３８に後方から挿入することにより持ち上げるものである。
【００２４】
このように、本発明では底板１１の前端に取り付けられた横板１２に透孔１３、１３を形成し、この透孔１３、１３の内側に対応して樹脂製の把手部材３１、３１を配置すると共に、この把手部材３１の一端を底板１１に固定し、他端を横板１２に固定している。そして、把手部材３１には手指挿入用の貫通孔３８を前後方向に形成したので、下側から手を回し、貫通孔３８に指を後から挿入することによって、冷蔵庫１の前下部を極めて容易に持つことができるようになる。また、把手部材３１は樹脂製であるので、持ち易い湾曲形状に成形し易く、これらによって、断熱箱体７の前下部に極めて持ち易い把手を構成することができるようになる。
【００２５】
特に、把手部材３１は底板１１と横板１２の双方に固定されているので、強度も強固となると共に、底板１１と横板１２の成す前隅部に位置することになるので、機械室２内の凝縮器２２との干渉も生じ難くなる。更に、把手部材３１には手指挿入用の貫通孔３８を前後方向に形成したので、横板１２の透孔１３とこの貫通孔３８を通って機械室２には外気が円滑に導入されるようになる。これによって、機械室２内の通風も確保することができるようになる。
【００２６】
また、把手部材３１後方の機械室２内に設けた凝縮器２２の鋼板２３の前端２３Ａを上方に屈曲させたので、把手部材３１の貫通孔３８に手指を挿入する際に、この前端２３Ａにて負傷する危険性も無くなる。
【００２７】
尚、実施例では把手部材３１を底板１１や横板１２にネジ止めしたが、それに限らず、係合爪などにより係合或いは嵌合して取り付ける方式でも差し支えないものである。
【００２８】
【発明の効果】
以上詳述した如く本発明によれば、外箱と内箱間に断熱材を充填した断熱箱体から構成され、この断熱箱体の下部には機械室を構成して成る冷蔵庫において、外箱底板の前端に取り付けられた外箱横板に透孔を形成し、この透孔の内側に対応して配置され、一端が外箱底板に固定されると共に、他端が外箱横板に固定された樹脂製把手部材を設け、この把手部材には手指挿入用の貫通孔を前後方向に形成したので、把手部材の下側から手を回し、貫通孔に指を後から挿入することによって、断熱箱体の前下部を極めて容易に持つことができるようになる。また、把手部材は樹脂製であるので、持ち易い形状に成形し易く、これらによって、断熱箱体の前下部に極めて持ち易い把手を構成することができるようになる。
【００２９】
特に、把手部材は外箱底板と外箱横板の双方に固定されているので、強度も強固となると共に、外箱底板と外箱横板の成す前隅部に位置することになるので、機械室内の機器との干渉も生じ難くなる。更に、把手部材には手指挿入用の貫通孔を前後方向に形成したので、外箱横板の透孔とこの貫通孔を通って機械室には外気が円滑に導入されるようになる。これによって、機械室内の通風も確保することができるようになるものである。
【００３０】
また、請求項２の発明によれば、上記に加えて把手部材後方の機械室内に凝縮器を設け、この凝縮器の前端を上方に屈曲させたので、把手部材の貫通孔に手指を挿入する際に、凝縮器の前端にて負傷する危険性が無くなるものである。
【図面の簡単な説明】
【図１】本発明の実施例の冷蔵庫下部の縦断側面図である。
【図２】本発明の冷蔵庫下部の正面図である。
【図３】本発明の冷蔵庫の機械室内の平面図である。
【図４】把手部材の斜視図である。
【図５】把手部材の断面図である。
【図６】本発明の冷蔵庫の外箱及び内箱、把手部材などの分解斜視図である。
【符号の説明】
１  冷蔵庫
２  機械室
３  外箱
４  内箱
６  断熱箱体
８  貯蔵室
１１  底板
１２  横板
１３  透孔
２２  凝縮器
２３  鋼板
２３Ａ  前端
３１  把手部材
３２  上壁
３４  下壁
３８  貫通孔
【図１】
0003625607.tif 000002
【図２】
0003625607.tif 000003
【図３】
0003625607.tif 000004
【図４】
0003625607.tif 000005
【図５】
0003625607.tif 000006
【図６】
0003625607.tif 000007